(57)【要約】【課題】起動時及び停止時において、排熱の有効利用と高質燃料の節約を可能とする様な空調システム及びその制御方法の提供。【解決手段】排熱源１と、排熱及び高質燃料を投入可能な吸収式冷凍機２と、制御装置４とを有しており、該制御装置４は、排熱投入型吸収式冷凍機２の起動時には高質燃料焚き運転の開始に先立って排熱のみによる運転を開始し、停止時には高質燃料焚き運転を停止した後に排熱のみによる運転を終了する制御を行う様に構成されている。【選択図】図１
2006308193.tif 000002
【特許請求の範囲】
【請求項１】
排熱源と、排熱及び高質燃料を投入可能な吸収式冷凍機と、制御装置とを有しており、該制御装置は、起動時には高質燃料の投入に先立って排熱の投入を開始し、停止時には高質燃料の投入を停止した後に排熱の投入を終了する制御を行う様に構成されていることを特徴とする空調システム。
【請求項２】
排熱及び高質燃料を投入可能な前記吸収式冷凍機に加えて、高質燃料のみが投入可能な吸収式冷凍機が設けられており、前記制御装置は、高質燃料を使用するに際しては高質燃料のみが投入可能な吸収式冷凍機へ優先的に供給する制御を行う請求項１の空調システム。
【請求項３】
前記制御装置は、起動時に、高質燃料を投入する時刻が、空調が必要となる時刻よりも、排熱及び高質燃料を投入する運転時間「ｔ２」だけ遡る様に設定し、
起動以前の冷温水温度と目標冷温水温度との温度差を「ΔＱ」、排熱のみを投入した場合の冷温水の温度変化率を「ｋ１」、排熱及び高質燃料を投入した場合の冷温水の温度変化率を「ｋ２」、排熱投入開始時刻から高質燃料の投入を開始する時刻までの時間を「ｔｕ−ｔ２」とすれば、
前記排熱及び高質燃料を投入する運転時間「ｔ２」を、式
ｔ２＝（ΔＱ−ｋ１・ｔｕ）／（ｋ２−ｋ１）
により演算する制御を行う様に構成されている請求項１、２の何れかの空調システム。
【請求項４】
前記制御装置は、停止時に、空調が必要でなくなる時刻よりも、希釈運転に必要な時間と、排熱のみが投入される運転時間「ｔ６」とを加算した時間だけ遡って高質燃料の投入が停止される様に設定し、
排熱のみが投入される運転中で許容できる冷温水温度と冷温水温度の目標値との温度差を「ΔＱＳ」、排熱のみを投入した場合の冷温水温度の変化率を「ｋ３」とすれば、
排熱のみが投入される運転時間「ｔ６」を、式
ｔ６＝ΔＱＳ／ｋ３
により演算する制御を行う様に構成されている請求項１〜３の何れか１項の空調システム。
【請求項５】
請求項１の空調システムを制御する制御方法においては、起動時には高質燃料の投入に先立って排熱の投入を開始し、停止時には高質燃料の投入を停止した後に排熱の投入を終了することを特徴とする空調システムの制御方法。
【請求項６】
請求項３の空調システムを制御する制御方法において、起動時には、高質燃料を投入する時刻が、空調が必要となる時刻よりも、排熱及び高質燃料を投入する運転時間「ｔ２」だけ遡る様に設定し、係る運転時間「ｔ２」は、
起動以前の冷温水温度と目標冷温水温度との温度差を「ΔＱ」、排熱のみを投入した場合の冷温水の温度変化率を「ｋ１」、排熱及び高質燃料を投入した場合の冷温水の温度変化率を「ｋ２」、排熱投入開始時刻から高質燃料の投入を開始する時刻までの時間を「ｔｕ−ｔ２」とすれば、式
ｔ２＝（ΔＱ−ｋ１・ｔｕ）／（ｋ２−ｋ１）
により演算される請求項５の空調システムの制御方法。
【請求項７】
請求項４の空調システムを制御する制御方法において、停止時には、空調が必要でなくなる時刻よりも、希釈運転に必要な時間と、排熱のみが投入される運転時間「ｔ６」とを加算した時間だけ遡って高質燃料の投入が停止される様に設定し、係る運転時間「ｔ６」は
排熱のみが投入される運転中で許容できる冷温水温度と冷温水温度の目標値との温度差を「ΔＱＳ」、排熱のみを投入した場合の冷温水温度の変化率を「ｋ３」とすれば、式
ｔ６＝ΔＱＳ／ｋ３
により演算される請求項５、６の何れかの空調システムの制御方法。
【発明の詳細な説明】
【技術分野】
【０００１】
本発明は、排熱源と、排熱及び高質燃料を投入可能な吸収式冷凍機とを有する空調システムにおいて、省エネ性を考慮したシステムの起動時間、停止時間を決定する空調システム及びその制御に関する。
【背景技術】
【０００２】
一重二重効用吸収式冷凍機と直焚き二重効用吸収式冷凍機とを組み合わせた冷温水装置において、起動時には最初に一重二重効用吸収式冷凍機の一重効用運転モード（排熱利用運転）で運転することにより排熱利用時間を拡大させる手法が提案されている（例えば、特許文献１参照）。
【０００３】
係る手法では、起動指令を受けて、排熱及び燃料を利用して冷温水を発生させ、停止指令を受けて、排熱及び燃料を遮断して、希釈運転を行っている。
ここで、排熱を利用する追い焚き機能付きの吸収式冷凍機の、冷房時における、起動時の冷温水温度の変化を、図１５に特性線ＴＡとして、又、停止時の冷温水温度の変化を、図１６に特性線ＴＢとして示す。
【０００４】
図１５の起動時の例では、例えば、事業所の始業時刻Ｔｊ２時（空調が必要となる時刻）に、冷温水温度が目標温度Ｑａ２（例えば７℃）になる様に起動時刻Ｔｊ１時（起動指令が発せられる時刻）が設定してあり、起動前には、例えばＱａ１（例えば２０℃）であった冷水温度が、Ｔｊ１時に起動指令が与えられ（点Ａ１）、運転を開始して始業時刻Ｔｊ２時に目標温度Ｑａ２（７℃：点Ａ２）になるように制御されている。
【０００５】
点Ａ１から点Ａ２の間（Ｔｊ１時〜Ｔｊ２時）では、排熱利用と燃料の双方を使用しての運転が続けられる。即ち、この立ち上げ時間帯では、立ち上げ速度（冷水温度を７℃まで下げる速度、ユーザーに十分な冷風が行くまでの時間）を優先して、可能な限り、燃料と排熱を投入する様に運転している。
そして、通常の営業時間帯では、排熱と燃料の双方を投入して空調システムの運転を続けている。
【０００６】
一方、図１６の停止時の例では、空調が不要となる時刻Ｔｊ４時（終業時刻）に業務に支承のない程度の室温（Ｑｂ４に対応する室温；点Ｂ４）まで昇温するように、それ以前のＴｊ３時に空調機の運転停止の指令が発せられる（点Ｂ３）。
ここで、Ｔｊ３時以前の冷温水温度Ｑｂ３は前記起動時の目標温度Ｑａ２と等しい。
【０００７】
点Ｂ３からＢ４点の間（Ｔｊ３時〜Ｔｊ４時）では、吸収式冷凍機は停止指令を受けて、排熱及び燃料を遮断して、循環ポンプによる冷媒循環のみの希釈運転を行う。希釈運転中は、システム中に残存する冷熱エネルギーを利用して冷房運転が行われる。
ここで、排熱および燃料の遮断と共に、作動冷媒の循環が停止してしまうと、吸収式冷凍機の作動冷媒である臭化リチウム液は、濃度が高まり、臭化リチウムが晶析してしまい、循環路である管内を閉塞させ、故障（運転が再開できない）の原因となるために、係る希釈運転が必要となる。
上述したように、起動時において、起動指令が発せられてから、目標温度となるまでは常に排熱と燃料の双方が投入されており、システム全体の燃料消費量が増大してしまう。
又、システム停止時においても、システム中の循環ポンプ類は稼働しており、その間のエネルギーロスも無視できない。
【０００８】
従来技術は、冷水温度のみで判断して制御おり、待機時間その他は、予め決められた数値のみを使用している。従って、制御が大まかになってしまい、状況の変化に対応出来ない。
【０００９】
なお、以上は冷房運転時の起動と停止における問題点であるが、排熱投入型吸収式冷凍機を用いて暖房運転を行う場合（起動時を図１７、停止時を図１８で示す）についても、同様な問題が生じる。
【００１０】
即ち、図１７の起動時においては、時刻Ｔ１１時から既に排熱と高質燃料の双方が投入され、図１８の停止時においては、時刻Ｔ１３時から暖房が不要となる時刻Ｔ１４時に近い時刻まで排熱と高質燃料の双方が投入されており、共に高質燃料の無駄遣いが行われていた。
【００１１】
【特許文献１】特開平５−１３３６３７号公報
【発明の開示】
【発明が解決しようとする課題】
【００１２】
本発明は上述した従来技術の問題点に鑑みて提案されたものであり、起動時及び停止時において、排熱の有効利用と高質燃料の節約を可能とする様な空調システム及びその制御方法の提供を目的としている。
【課題を解決するための手段】
【００１３】
本発明の空調システムは、排熱源（例えば、ガスエンジン１や燃料電池、その他）と、排熱及び（天然ガス、オイル、高圧蒸気等の）高質燃料を投入可能な吸収式冷凍機（排熱投入型吸収式冷凍機２）と、制御装置（コントロールユニット４）とを有しており、該制御装置（コントロールユニット４）は、（排熱投入型吸収式冷凍機２の）起動時には高質燃料の投入（高質燃料焚き運転の開始）に先立って排熱の投入を開始（排熱のみによる運転を開始）し、停止時には高質燃料の投入を停止（高質燃料焚き運転を停止）した後に排熱の投入を終了（排熱のみによる運転を終了）する制御を行う様に構成されていることを特徴としている（図１〜図１３）。
ここで、本発明では、排熱源（例えば、ガスエンジン１や燃料電池、その他）の運転の方が吸収式冷凍機（２）の運転時間と同時かそれよりも早い時間に開始され、吸収式冷凍機（２）と同時かそれよりも遅い時間に終了することが前提となる。
【００１４】
係る空調システムを制御する制御方法においては、（排熱投入型吸収式冷凍機２の）起動時には高質燃料の投入（高質燃料焚き運転の開始）に先立って排熱の投入を開始（排熱のみによる運転を開始）し、停止時には高質燃料の投入を停止（高質燃料焚き運転を停止）した後に排熱の投入を終了（排熱のみによる運転を終了）することを特徴としている（図１〜図１３）。
【００１５】
本発明の空調システムにおいて、排熱及び（天然ガス、オイル、高圧蒸気等の）高質燃料を投入可能な前記吸収式冷凍機（排熱投入型吸収式冷凍機２）に加えて、高質燃料のみが投入可能な吸収式冷凍機（例えば、ガス焚き吸収式冷凍機９）が設けられており、前記制御装置（コントロールユニット４）は、高質燃料を使用するに際しては高質燃料のみが投入可能な吸収式冷凍機（例えば、ガス焚き吸収式冷凍機９）へ優先的に供給する制御を行うことが好ましい（図１２）。
【００１６】
本発明において、前記制御装置（コントロールユニット４）は、（排熱投入型吸収式冷凍機２の）起動時に、高質燃料を投入（高質燃料焚き運転の開始）する時刻（Ｔ２）が、空調が必要となる時刻（Ｔ３）よりも、排熱及び高質燃料を投入する運転時間「ｔ２（ｍｉｎ．）」だけ遡る様に設定し、
起動以前の冷温水温度（Ｑ０）と目標冷温水温度（ＱＭ）との温度差を「ΔＱ（℃）」、排熱のみを投入した場合の冷温水の温度変化率（例えば、図５の時刻Ｔ１〜Ｔ２間の直線の傾き）を「ｋ１（℃／ｍｉｎ．）」、排熱及び高質燃料を投入した場合の冷温水の温度変化率（例えば、図５の時刻Ｔ２〜Ｔ３間の直線の傾き）を「ｋ２（℃／ｍｉｎ．）」、排熱投入開始時刻（Ｔ１）から高質燃料の投入を開始する時刻（Ｔ２）までの時間を「ｔｕ−ｔ２（ｍｉｎ．）」とすれば、
前記排熱及び高質燃料を投入する運転時間「ｔ２」を、式
ｔ２＝（ΔＱ−ｋ１・ｔｕ）／（ｋ２−ｋ１）
により演算する制御を行う様に構成されているのが好ましい（図４、図５）。
【００１７】
係る空調システムを制御する制御方法において、起動時には、高質燃料を投入（高質燃料焚き運転の開始）する時刻（Ｔ２）が、空調が必要となる時刻（Ｔ３）よりも、排熱及び高質燃料を投入する運転時間「ｔ２」だけ遡る様に設定し、係る運転時間「ｔ２（ｍｉｎ．）」は、
起動以前の冷温水温度（Ｑ０）と目標冷温水温度（ＱＭ）との温度差を「ΔＱ（℃）」、排熱のみを投入した場合の冷温水の温度変化率（例えば、図５の時刻Ｔ１〜Ｔ２間の直線の傾き）を「ｋ１（℃／ｍｉｎ．）」、排熱及び高質燃料を投入した場合の冷温水の温度変化率（例えば、図５の時刻Ｔ２〜Ｔ３間の直線の傾き）を「ｋ２（℃／ｍｉｎ．）」、排熱投入開始時刻（Ｔ１）から高質燃料の投入を開始する時刻（Ｔ２）までの時間を「ｔｕ−ｔ２（ｍｉｎ．）」とすれば、式
ｔ２＝（ΔＱ−ｋ１・ｔｕ）／（ｋ２−ｋ１）
により演算されるのが好ましい（図４、図５）。
【００１８】
また、本発明において、前記制御装置（コントロールユニット４）は、（排熱投入型吸収式冷凍機２の）停止時に、空調が必要でなくなる時刻（Ｔ６）よりも、希釈運転（或いは余熱運転）に必要な時間（ｔ５）と、排熱のみが投入される運転時間「ｔ６（ｍｉｎ．）」とを加算した時間だけ遡って高質燃料の投入（高質燃料焚き運転）が停止される様に設定し、
排熱のみが投入される運転中で許容できる冷温水温度（ＱＣ）と冷温水温度の目標値（ＱＭ）との温度差を「ΔＱＳ（℃）」、排熱のみを投入した場合の冷温水温度の変化率（図７における時刻Ｔ４から時刻Ｔ５までの直線の傾き）を「ｋ３（℃／ｍｉｎ．）」とすれば、
排熱のみが投入される運転時間「ｔ６（ｍｉｎ．）」を、式
ｔ６＝ΔＱＳ／ｋ３
により演算する制御を行う様に構成されているのが好ましい（図６、図７）。
【００１９】
係る空調システムを制御する制御方法において、停止時には、空調が必要でなくなる時刻（Ｔ６）よりも、希釈運転（或いは余熱運転）に必要な時間（ｔ５）と、排熱のみが投入される運転時間「ｔ６」とを加算した時間だけ遡って高質燃料の投入（高質燃料焚き運転）が停止される様に設定し、係る運転時間「ｔ６（ｍｉｎ．）」は
排熱のみが投入される運転中で許容できる冷温水温度（ＱＣ）と冷温水温度の目標値（ＱＭ）との温度差を「ΔＱＳ（℃）」、排熱のみを投入した場合の冷温水温度の変化率（図７における時刻Ｔ４から時刻Ｔ５までの直線の傾き）を「ｋ３（℃／ｍｉｎ．）」とすれば、式
ｔ６＝ΔＱＳ／ｋ３
により演算されるのが好ましい（図６、図７）。
【００２０】
本明細書において、高質燃料焚き運転を実行することを「高質燃料（の）投入」と表現し、高質燃料焚き運転を停止することを「高質燃料（の）投入終了」或いは「高質燃料（の）投入停止」と表現している。
【発明の効果】
【００２１】
上述する構成を具備する本発明によれば、排熱が存在している状況で吸収式冷凍機（２）が起動する場合、起動時間の前後において排熱を利用する時間が長くなり、高質燃料の投入が削減でき、燃料消費量が削減出来る。
【００２２】
排熱が存在している状況で吸収式冷凍機（２）が停止する場合、停止時間の前後において排熱を利用する時間が長くなるとともに、停止時間を早めることによる効果も加わり、高質燃料の投入が削減でき、燃料消費量が削減出来る。
【００２３】
又、本発明の空調システムでは、ユーザーの状況に対応して、決め細かい制御を実現している。すなわち、本発明では、冷温水温度以外のパラメータを考慮して制御しており、排熱や高質燃料の投入開始や投入終了の時間についても、各種パラメータに基づいて計算している。
【発明を実施するための最良の形態】
【００２４】
以下、添付図面を参照して、本発明の実施形態について説明する。
【００２５】
先ず、図１〜図１１に基づいて第１実施形態を説明する。
【００２６】
図１は、第１実施形態に係る空調システムのブロック図である。
図１において、当該空調システムは、例えば、ガスエンジン１を備えたコージェネレーションシステムと、そのコージェネレーションシステムのガスエンジン１から排熱ラインＬｈによって排熱が投入される排熱投入型吸収式冷凍機２とを有している。
【００２７】
更に、当該空調システムは、排熱投入型吸収式冷凍機２から冷温水ラインＬｗによって冷房サイクルの場合には冷熱が投入され、暖房サイクルの場合には温熱が投入される室内機３と、当該システムの冷・暖房を制御するコントロールユニット４と、コントロールユニット４への入力装置５と、外気温計測装置（外気温センサ）６とを有している。
【００２８】
前記排熱投入型吸収式冷凍機２には燃料供給ラインＬｆが接続され、高質燃料、例えば都市ガス等が供給される様に構成されている。
【００２９】
前記排熱ラインＬｈには開閉弁Ｖｈが、前記燃料供給ラインＬｆには開閉弁Ｖｆが介装されており、夫々制御信号ラインＳｏｈ、Ｓｏｆによってコントロールユニット４に接続されている。
【００３０】
前記冷温水ラインＬｗは、往路配管Ｌｗ１と復路配管Ｌｗ２とによって構成され、排熱投入型吸収式冷凍機２と室内機３とを冷温水が循環可能なように接続されている。ここで、冷温水ラインＬｗに付した矢印は、冷温水の流れの向きを示している。
【００３１】
冷温水ラインＬｗの往路配管Ｌｗ１には水温センサ７が介装され、室内機３の設置された部屋には空調負荷センサ（例えば室内温度を計測する室内温度センサ）８が設置され、前記外気温センサ６は入力信号ラインＬｉ１で、水温センサ７は入力信号ラインＳｉ２で、空調負荷センサ（室内温度センサ）８は入力信号ラインＬｉ３で夫々、コントロールユニット４に接続されている。
【００３２】
前記入力装置５は、空調システムの制御に必要な各種情報をコントロールユニット４に入力するための装置であり、例えば、所謂「リモコン」や、キーボード或いはマウスであっても良い。
なお、「空調システムの制御に必要な各種情報」には、後述する「高質燃料の投入を開始する時刻」や「排熱のみの運転を開始する時刻」の計算に必要な情報も含まれる。
【００３３】
図１において、コントロールユニット４は排熱投入型吸収式冷凍機２とは別体に示されているが、排熱投入型吸収式冷凍機２にコントロールユニット４を内蔵していても良い。
【００３４】
図１で示すシステムで冷房運転を行う場合の起動時における冷水温度（図１における冷温水ラインＬｗを流れる冷水の温度）と時間との関係を、図２で示す。また、停止時における冷水温度と時間との関係を図３で示す。
【００３５】
まず、図２及び図４（制御フローチャート）を参照して、図１で示すシステムで冷房運転を行う場合の起動時における制御について説明する。
【００３６】
図２（冷水の温度変化を示した太い実線Ｑｔ）において、
従来は、時刻ＴＰ１（図１５の時刻Ｔｊ１に相当）で高質燃料（例えば、燃料ガス）と排熱との投入が、同時に開始されていた。
それに対して、図２の実施形態では、時刻Ｔ１（Ｐ１点；この時の冷水温度はＱ１℃）で排熱のみを投入し、時刻Ｔ１（点Ｐ１）〜時刻Ｔ２（点Ｐ２）の間の時間は、吸収式冷凍機２は排熱のみが投入されて稼動（排熱のみを利用した一重効用運転）している。
次いで、時刻Ｔ２（点Ｐ２）で、燃料供給ラインＬｆから高質燃料も投入し、以下、高質燃料と排熱とが使用される運転モード（一重二重効用運転モード）で運転される。
そして、空調（冷房）が必要となる時刻Ｔ３（点Ｐ３）までに、冷水温度を目標温度Ｑ３℃（例えば、７℃）まで低下させる。
【００３７】
図２から明らかな様に、時刻Ｔ１〜Ｔ２までの排熱のみを投入する運転モード（排熱のみを利用した一重効用運転モード）を行うため、高質燃料の投入時刻を、従来の時刻ＴＰ１から時刻Ｔ２まで遅らせることが出来る。換言すれば、温度変化分ΔＱ１２分の熱量だけ、高質燃料の消費量を節約出来たことになる。
【００３８】
図２の内容を時系列で説明するのが、図４の制御フローチャートである。以下、図４のフローチャートに基づいて、第１実施形態の冷房モードにおける空調システム起動時の制御を説明する。
【００３９】
先ず、排熱源であるコージェネレーションのガスエンジン１を起動させ（ステップＳ１）、コントロールユニット４は、排熱の投入開始時刻になっているか否かを判断する（ステップＳ２）。
【００４０】
排熱の投入開始時刻になっていれば（ステップＳ２のＹＥＳ）、次のステップＳ３に進み、排熱投入の時刻に達していなければ（ステップＳ２のＮＯ）、ステップＳ２のループを繰り返す。
【００４１】
ステップＳ３では、コントロールユニット４は、排熱ラインに介装した開閉弁Ｖｈを開放して吸収式冷凍機２に排熱投入を開始する。その後、その時点での外気温センサ６による外気温の情報、水温センサ７による冷温水温度情報、及び室内温度センサ８による室内温度情報等によって、高質燃料の投入時刻を演算する（ステップＳ４）。
【００４２】
次のステップＳ５では、コントロールユニット４は、高質燃料の投入開始時刻になっているか否かを判断する。
高質燃料の投入開始時刻になっていれば（ステップＳ５のＹＥＳ）、次のステップＳ６に進み、高質燃料投入の時刻に達していなければ（ステップＳ５のＮＯ）、ステップＳ５のループを繰り返す。
【００４３】
ステップＳ６では、コントロールユニット４は、燃料供給ラインＬｆに介装した開閉弁Ｖｆを開放して吸収式冷凍機２に高質燃料の投入を開始し、制御を終了する。
【００４４】
ここで、「高質燃料投入開始時刻（高質燃料の投入を開始する時刻）」を決定する手法について、図５を参照して説明する。
【００４５】
図５は、図２と同様に、第１実施形態における起動時の冷水温度の時間変化（冷水の温度変化を示した太い実線Ｑｔ）を示している。
図５において、起動以前の冷水温度をＱ０℃、目標冷水温度をＱＭ℃（例えば、７℃）とすれば、排熱投入開始時刻Ｔ１から空調（冷房）が必要となる時刻Ｔ３までに、
ＱＭ−Ｑ０＝ΔＱ（℃）  
だけ、冷水温度を降下させなければならない。
【００４６】
排熱のみを投入する運転による冷水の温度降下分を符号「ΔＱＷＰ（℃）」、排熱及び高質燃料を投入する運転による冷水の温度降下分を符号「ΔＱＨＧ（℃）」で示すと、
ΔＱ＝ΔＱＷＰ＋ΔＱＨＧ  ・・・  （１）
となる。
【００４７】
ここで、排熱のみを使用する運転における冷水温度の変化率（時刻Ｔ１〜Ｔ２間の直線の傾き）を「ｋ１」、排熱及び高質燃料を投入する運転における冷水温度の変化率（時刻Ｔ２〜Ｔ３間の傾き）を「ｋ２」、時刻Ｔ１から時刻Ｔ２までの時間を「ｔｗｐ（＝ｔｕ−ｔ２）」、排熱及び高質燃料を投入する運転時間を「ｔ２」とすれば、上記（１）式は、
ΔＱ＝ｋ１・ｔｗｐ＋ｋ２・ｔ２  ・・・  （２）
となる。
さらに、上述した通り、「ｔｗｐ＝ｔｕ−ｔ２」であるから、上記（２）式は、
ΔＱ＝ｋ１・（ｔｕ−ｔ２）＋ｋ２・ｔ２  ・・・  （３）
となる。
【００４８】
ここで、時刻Ｔ３までに降下するべき冷水温度ΔＱは、排熱投入型吸収式冷凍機の冷温水系における冷水の保有量と、時刻Ｔ１以前の冷水温度Ｑ０（℃）と、目標冷水温度をＱＭ（℃）とから求められる。
そして、冷水温度の変化率ｋ１、ｋ２については、予め計測しておくことが可能である。
時刻Ｔ３は冷房負荷側の要求に応じて決定され、時刻Ｔ１は任意に決定することが出来るので、ｔｕも予め求められる。
すなわち、上記式（３）において、予め求まっていないのは、時間ｔ２（時刻Ｔ２と時刻Ｔ３間の時間）のみである。
【００４９】
上記式（３）を、時間ｔ２について求める形式に変形すれば、
ｔ２＝（ΔＱ−ｋ１・ｔｕ）／（ｋ２−ｋ１）  ・・・  （４）
となる。
すなわち、高質燃料投入開始時刻Ｔ２は、空調（冷房）が必要となる時刻Ｔ３から、式（４）で求められる時間ｔ２だけ遡った時刻として計算されるのである。
【００５０】
次に、図３及び図６を参照して、図１で示すシステムで冷房運転を行う場合の停止時における制御について説明する。
【００５１】
図３（冷水の温度変化を示した太い実線Ｑｔ）において、
従来は、時刻ＴＰ２（図１６の時刻Ｔｊ３に相当）で高質燃料（例えば、燃料ガス）と排熱との投入が、同時に終了されていた。
それに対して、図１の実施形態では、時刻Ｔ４（点Ｐ４）で高質燃料の投入のみを終了する（一重二重効用運転モードの終了）。時刻Ｔ４（点Ｐ４）〜時刻Ｔ５（点Ｐ５）の間の時間は、吸収式冷凍機２は排熱のみが投入されて稼動（排熱のみを利用した一重効用運転）する。
【００５２】
次いで、時刻Ｔ５（点Ｐ５）で、排熱の投入も終了して、余熱運転（或いは、希釈運転）が開始される。
時刻Ｔ６（点Ｐ６）では、冷温水ポンプや、吸収溶液ポンプ、その他の機器（図１の排熱投入型吸収式冷凍機２内部の機器：図示せず）が停止して、システム中の空調に係る部分は停止する。
【００５３】
図３から明らかな様に、時刻Ｔ４（点Ｐ４）〜Ｔ５（点Ｐ５）までの排熱のみを投入する運転モード（排熱のみを利用した一重効用運転モード）を行ったため、高質燃料の投入終了時刻を、従来の時刻ＴＰ２から時刻Ｔ４（点Ｐ４）まで早くすることが出来た。
換言すれば、時刻ＴＰ２〜時刻Ｔ４（点Ｐ４）間の時間Δｔ２の分だけ、高質燃料の消費量を節約出来たことになる。
【００５４】
図３の内容を時系列で説明するのが、図６の制御フローチャートである。以下、図６のフローチャートに基づいて、第１実施形態の冷房モードにおける空調システム停止時の制御を説明する。
【００５５】
先ず、排熱及び高質燃料投入による運転を行っており（ステップＳ１１）、停止時間の計算開始時刻になったか否かを監視しており（ステップＳ１２のループ）、停止時間の計算開始時刻になったなら（ステップＳ１２のＹＥＳ）、高質燃料投入停止時刻を演算する（ステップＳ１３）。
【００５６】
そして、コントロールユニット４は、高質燃料投入時刻になったか否かを監視しており（ステップＳ１４のループ）、高質燃料投入停止の時刻になったなら（ステップＳ１４のＹＥＳ）、高質燃料の投入を停止する（ステップＳ１５）。
【００５７】
その後コントロールユニット４は予熱運転（希釈運転）開始の時刻か否かを判断しており（ステップＳ１６のループ）、予熱運転（希釈運転）開始の時刻になれば（ステップＳ１６のＹＥＳ）、予熱運転（希釈運転）を開始し、コージェネレーションのガスエンジン１からの排熱投入は終了する。
【００５８】
次のステップＳ１８では、コントロールユニット４は、空調負荷センサ８からの情報に基づいて、空調が不要となる時刻になったか否かを判断しており（ステップＳ１８のループ）、空調が不要となる時刻になったなら（ステップＳ１８のＹＥＳ）、ポンプその他の補機類を停止させて（ステップＳ１９）、制御を終了する。
【００５９】
ここで、「高質燃料投入終了時刻（高質燃料の投入を終了する時刻、或いは、排熱のみの運転を開始する時刻、）Ｔ４」を決定する手法について、図７を参照して説明する。
【００６０】
ここで、余りに早く高質燃料の投入を終了すると、冷房負荷を行っている部屋の室温が昇温し過ぎてしまう。
一方、余りに遅く高質燃料の投入を終了するのでは、省エネルギーにならない。  
この兼ね合いで、高質燃料投入停止時刻Ｔ４を決定する。
【００６１】
図７は、図３と同様に、第１実施形態における停止時の冷水温度の時間変化（冷水の温度変化を示した太い実線Ｑｔ）を示している。
吸収式冷凍機２の停止に際しては、必ず希釈運転（図７の余熱運転；点Ｐ５〜点Ｐ６）を一定時間行うことが必要であり、図示の実施形態では、例えば、空調（冷房）が必要でなくなる時刻Ｔ６までに、１０分間行う様に設定されている。
係る希釈運転を行う時間が、図７では符号「ｔ５」で示されている。そして、希釈運転（余熱運転）を開始する時刻Ｔ５は、空調負荷が必要ではなくなる時刻Ｔ６から時間ｔ５だけ遡った時刻として、予め定めることが出来る。
【００６２】
上述した通り、余りに早く高質燃料の投入を終了すると、冷房負荷を行っている部屋の室温が昇温し過ぎてしまう。
ここで、高質燃料の投入終了後の排熱のみの運転において、許容できる室内温度（最高温度）に対応する冷水温度を符号「ＱＣ℃：（例えば１２℃）」とする。そして、冷水温度の目標値は、起動の場合と同様、「ＱＭ℃（例えば７℃）」で示す。
【００６３】
図３及び図７で示す様に、希釈運転（余熱運転）開始時刻（或いは、排熱投入終了時刻）Ｔ５の後は、冷温水温度が上昇してしまうことは制御上許容されている。従って、希釈運転（余熱運転）開始時刻（或いは、排熱投入終了時刻）Ｔ５以前の段階で、冷水温度がＱＣ（℃：例えば１２℃）を超えてしまわない様に設定すれば、冷房負荷を行っている部屋の室温が昇温し過ぎてしまうという問題は生じない。
そして、時刻Ｔ５で冷水温度がＱＣとなれば、高質燃料の投入終了が遅すぎてしまうことは無い。
図７において、高質燃料の投入終了時刻Ｔ４（点Ｐ４）は、係る見地から定められている。
【００６４】
すなわち、図７において、高質燃料の投入終了時刻Ｔ４は、時刻Ｔ５で冷水温度がＱＣとなる様に設定されている。
ここで、冷水温度が目標温度ＱＭから上記温度ＱＣまで昇温するということは、  ＱＣ−ＱＭ＝ΔＱＳ  だけ昇温することを意味している。
そして、高質燃料の投入を終了して、排熱のみで冷房運転を行った場合の冷水温度が昇温する変化率（時刻Ｔ４から時刻Ｔ５までの直線の傾き）を「ｋ３」、高質燃料の投入を終了し排熱のみで冷房運転を行うまでの時間をｔ６とすれば、時刻Ｔ５で冷水温度がＱＣとなる旨は、次式（６）で表現される。
ΔＱＳ＝ｋ３・ｔ６  ・・・  （６）
式（６）を「ｔ６」について表現すれば、
ｔ６＝ΔＱＳ／ｋ３  ・・・  （７）
【００６５】
予め定められた希釈運転（余熱運転）を開始する時刻Ｔ５から、式（７）で求められる時間ｔ６だけ遡れば、高質燃料投入停止時刻Ｔ４を求めることが出来る。
【００６６】
以上、冷房運転時における始動と停止について説明したが、吸収式冷凍機による暖房運転時においても、同様である。
【００６７】
即ち、図８（本実施形態の空調システムにおける暖房モードでの起動時の温水の温度変化を示す図）において、
従来は、時刻ＴＰ１１で高質燃料（例えば、燃料ガス）と排熱との投入が、同時に開始されていた。
それに対して、図１の実施形態では、時刻Ｔ１１（点Ｐ１１）で排熱の投入が開始され、時刻Ｔ１１（点Ｐ１１）〜時刻Ｔ１２（点Ｐ１２）の間の時間は、吸収式冷凍機２は排熱のみが投入されて稼動（排熱のみを利用した暖房運転）する。
次いで、時刻Ｔ１２で、高質燃料も投入され、以下、高質燃料と排熱とが使用される運転モード（高質燃料焚き運転と排熱とによる暖房運転）となり、目標温度ＱＭ１には時刻Ｔ１３（点Ｐ１３）で到達する。
【００６８】
時刻Ｔ１１〜Ｔ１２までの排熱のみを投入する暖房運転を行ったため、高質燃料の投入時刻を、従来の時刻ＴＰ１１から時刻Ｔ１２まで遅らせることが出来た。
換言すれば、点Ｐ１１〜点Ｐ１２の間の熱量の分だけ、高質燃料の消費量を節約することが出来る。
【００６９】
ここで、「高質燃料投入開始時刻（高質燃料の投入を開始する時刻）Ｔ１２」を決定する手法について、図９を参照して説明する。
図９において、起動以前の温水温度をＱ０１（℃）から目標温水温度をＱＭ１（℃：例えば、５５℃）まで昇温するためには、
ＱＭ１−Ｑ０１＝ΔＱ１（℃）  
だけ、昇温する必要がある。
【００７０】
排熱のみを投入する運転による温水の昇温分を符号「ΔＱＷＰ１（℃）」、排熱及び高質燃料を投入する運転による昇温分を符号「ΔＱＨＧ１（℃）」で示すと、
ΔＱ１＝ΔＱＷＰ１＋ΔＱＨＧ１  ・・・  （８）
となる。
【００７１】
排熱のみを使用する運転における温水温度の変化率（時刻Ｔ１１〜Ｔ１２間の直線の傾き）を「ｋ１１」、排熱及び高質燃料を投入する運転における温水温度の変化率（時刻Ｔ１２〜Ｔ１３間の傾き）を「ｋ１２」、時刻Ｔ１１から時刻Ｔ１２までの時間を「ｔｗｐ１（＝ｔｕ１−ｔ２１）」、排熱及び高質燃料を投入する運転時間を「ｔ２１」とすれば、上記（８）式は、
ΔＱ１＝ｋ１１・ｔｗｐ１＋ｋ２１・ｔ２１  ・・・  （９）
となる。
さらに、上述した通り、「ｔｗｐ１＝ｔｕ１−ｔ２１」であるから、上記（９）式は、
ΔＱ１＝ｋ１１・（ｔｕ１−ｔ２１）＋ｋ１２・ｔ２１  ・・・  （１０）
となる。
【００７２】
冷房の場合と同様に、温度ΔＱ１、冷水温度の変化率ｋ１１、ｋ１２、ｔｕ１は予め求められるので、上記式（１０）を、時間ｔ２１について求める形式に変形すれば、
ｔ２１＝（ΔＱ１−ｋ１１・ｔｕ）／（ｋ１２−ｋ１１）  ・・・  （１１）
となる。
すなわち、高質燃料投入開始時刻Ｔ１２は、空調（冷房）が必要となる時刻Ｔ１３から、式（１１）で求められる時間ｔ２１だけ遡った時刻として計算される。
【００７３】
次に、図１０及び図１１を参照して、暖房運転を行う場合の停止時における制御について説明する。
【００７４】
図１０（本実施形態の空調システムにおける暖房モードでの停止時の温水の温度変化を示す図）において、
従来は、時刻ＴＰ１２で高質燃料（例えば、燃料ガス）と排熱との投入が、同時に終了されていた。
それに対して、図１の実施形態では、時刻Ｔ１４（点Ｐ１４）で高質燃料の投入のみを終了する。時刻Ｔ１４（点Ｐ１４）から時刻Ｔ１５（点Ｐ１５）の間の時間は、吸収式冷凍機２は排熱のみが投入されて稼動される。
次いで、時刻Ｔ１５（点Ｐ１５）で、排熱の投入も終了して、余熱運転（或いは、希釈運転）が開始される。
時刻Ｔ１６（点Ｐ１６）では、冷温水ポンプや、吸収溶液ポンプ、その他の機器（図１の排熱投入型吸収式冷凍機内部の機器：図示せず）が停止する。
【００７５】
図１０から明らかな様に、時刻Ｔ１４（点Ｐ１４）からＴ１５（点Ｐ１５）までの、排熱のみを投入する運転を行ったため、高質燃料の投入終了時刻を、従来の時刻ＴＰ１２から時刻Ｔ１４（点Ｐ１４）まで早くすることが出来た（換言すれば、時間Δｔ２１の分だけ、高質燃料の消費量を節約出来た）。
【００７６】
ここで、「高質燃料投入終了時刻Ｔ１４（点Ｐ１４）」を決定する手法について、図１１を参照して説明する。
吸収式冷凍機の停止に際しては、図１１では、例えば、希釈運転（余熱運転）を１０分間行う様に設定されている。
この係る希釈運転を行う時間が、図１１では符号「ｔ５１」で示されている（例えば、１０分間）。そして、希釈運転（余熱運転）を開始する時刻Ｔ１５（点Ｐ１５）は、空調が必要ではなくなる時刻Ｔ１６（点Ｐ１６）から時間ｔ５１だけ遡った時刻として、予め定めることが出来る。
【００７７】
高質燃料の投入終了後の排熱のみの運転において、許容できる室内温度（最低温度）に対応する温水温度を符号「ＱＣ１（℃：例えば４５℃）」とする。そして、温水温度の目標値は符号「ＱＭ１（℃：例えば５５℃）」で示す。
【００７８】
図１１において、高質燃料の投入終了時刻Ｔ１４（点Ｐ１４）は、時刻Ｔ１５（点Ｐ１５）で温水温度がＱＣ１となる様に設定されている。すなわち、時刻Ｔ１５（点Ｐ１５）の水温が、時刻Ｔ１４の水温よりも、
（ＱＣ１−ＱＭ１＝）ΔＱＳ１だけ降温或いは温度降下する様に設定する。
高質燃料の投入を終了して、排熱のみで冷房運転を行った場合の温水温度降下の変化率（時刻Ｔ１４から時刻Ｔ１５までの直線の傾き）を「ｋ１３」、高質燃料の投入を終了し排熱のみで暖房運転を行うまでの時間をｔ６１とすれば、
ΔＱＳ１＝ｋ１３・ｔ６１  ・・・  （１２）
式（１２）を「ｔ６１」について表現すれば、
ｔ６１＝ΔＱＳ１／ｋ１３  ・・・  （１３）
【００７９】
予め定められた希釈運転（余熱運転）を開始する時刻Ｔ１５から、式（１３）で求められる時間ｔ６１だけ遡れば、高質燃料投入停止時刻Ｔ１４を求めることが出来る。
【００８０】
次に、図１２に基づいて第２実施形態を説明する。
【００８１】
第２実施形態は、図１の第１実施形態の構成に対して、ガス焚きの吸収式冷凍機を追加し、吸収式冷凍機と追加のガス焚きの吸収式冷凍機とを冷温水ラインで並列に接続した実施形態である。
【００８２】
図１２において、第２実施形態の空調システムは、図１の第１実施形態の構成に対して、ガス焚きの吸収式冷凍機９を追加している。
【００８３】
冷温水ラインＬｗの排熱投入型吸収式冷凍機２と空調負荷側の室内機３の往路配管Ｌｗ１１には、排熱投入型吸収式冷凍機２と水温センサ７との間の領域に第１の流路切換え弁（三方弁）Ｖｗ１が介装されている。一方、冷温水ラインＬｗの排熱投入型吸収式冷凍機２と空調負荷側の室内機３の復路配管Ｌｗ１２には、第２の流路切換え弁（三方弁）Ｖｗ２が介装されている。
【００８４】
前記第１の切換弁Ｖｗ１の一箇所のポートには、ガス焚きの吸収式冷凍機９と第１の切換弁Ｖｗ１とを接続する往路配管Ｌｗ１３の一端が接続され、前記第２の切換弁Ｖｗ２の一箇所のポートには、ガス焚きの吸収式冷凍機９と第２の切換弁Ｖｗ２とを接続する復路配管Ｌｗ１４の一端が接続されている。
【００８５】
ここで、第２実施形態における空調能力を、例えば３段階（小、中、大）に分けた場合の、各バルブ（Ｖｈ、Ｖｆ、Ｖｗ１、Ｖｗ２）の開閉パターンの組み合わせについて以下に説明する。
【００８６】
「空調能力が小の場合」
燃料供給ラインＬｆの開閉バルブＶｆは閉鎖した状態で、排熱ラインＬｈの開閉バルブＶｈを開放、排熱投入型吸収式冷凍機２は排熱のみで運転。
第１の三方弁Ｖｗ１及び第２の三方弁Ｖｗ２の何れの三方弁もガス焚き吸収式冷凍機９側のポートが閉鎖（ガス焚き吸収式冷凍機９は不作動）。
「空調能力が中の場合」
燃料供給ラインＬｆの開閉バルブＶｆは閉鎖した状態で、排熱ラインＬｈの開閉バルブＶｈを開放、排熱投入型吸収式冷凍機２は排熱のみで運転。
図示しないガス供給源からガス焚き吸収式冷凍機９にガスを供給し、ガス焚き吸収式冷凍機９も運転。第１の三方弁Ｖｗ１及び第２の三方弁Ｖｗ２の何れの三方弁も全ポートを開放。
「空調能力が大の場合」
排熱ラインＬｈの開閉バルブＶｈ及び燃料供給ラインＬｆの開閉バルブＶｆを共に開放、排熱投入型吸収式冷凍機２は排熱と高質燃料の双方で運転。
図示しないガス供給源からガス焚き吸収式冷凍機９にガスを供給し、ガス焚き吸収式冷凍機９も運転。第１の三方弁Ｖｗ１及び第２の三方弁Ｖｗ２の何れの三方弁も全ポートを開放。
【００８７】
次に、図１３を参照して、第２実施形態の制御方法を説明する。
【００８８】
先ず、コントロールユニット４は、高質燃料の投入が必要か否かを判断して（ステップＳ２１）、必要であれば（ステップＳ２１のＹＥＳ）、ステップＳ２２に進み、必要でなければ（ステップＳ２１のＮＯ）、ステップＳ２３に進み、排熱のみを排熱投入型吸収式冷凍機２へ投入して、再び、ステップＳ２１以降を繰り返す。
【００８９】
ステップＳ２２では、コントロールユニット４は、ガス焚き吸収式冷凍機９は使用中か否かを判断する。使用中であれば（ステップＳ２２のＹＥＳ）、ステップＳ２５に進み、使用中でなければ（ステップＳ２２のＮＯ）、ステップＳ２４に進む。
【００９０】
ステップＳ２４では、排熱投入型吸収式冷凍機２に高質燃料を投入して制御を終える。
【００９１】
ステップＳ２５では、ガス焚き吸収式冷凍機９に高質燃料を投入して制御を終了する。
【００９２】
ここで、排熱投入型吸収式冷凍機２において、高質燃料投入時は、排熱が利用し難くなる。
したがって、高質燃料投入に際しては、排熱投入型吸収式冷凍機２よりも、ガス焚きの吸収式冷凍機９を優先的に使用した方が、排熱の有効利用が為される。
換言すれば、高質燃料を使用する冷温水機の優先順位は、排熱を利用しない方を優先した方が、起動時も停止時も、排熱利用効率が向上する。
【００９３】
なお、第１実施形態と第２実施形態において、排熱投入型を利用する吸収式冷凍機の一例が図１４に示してある。図１４を参照して、排熱投入型吸収式冷凍機２の構成の一例について簡単に説明する。
【００９４】
図１４は、排熱投入型吸収式冷凍機（追い焚き機能付き）であって、吸収器から出る希溶液ラインが途中で分岐して高温再生器と低温再生器とに各々連通するパラレルフロータイプの一重二重効用吸収式冷凍機を示している。
【００９５】
図１４において、排熱投入型吸収式冷凍機２は、吸収器２１と高温再生器２２と低温再生器２３と凝縮器２４と蒸発器２５を有しており、吸収器２１と高温再生器２２及び低温再生器２３とは吸収溶液循環ラインＬａ（循環ポンプＰ１を介装した希溶液ラインＬａ１、吸収器２１への戻りラインである濃溶液ラインＬａ２）で接続されており、該吸収溶液ラインＬａ１，Ｌａ２中を吸収溶液（例えば、臭化リチウム溶液）が循環する。
【００９６】
高温再生器２２は、ガスバーナ２２Ｂを装備しており、そのガスバーナ２２Ｂには燃料供給ラインＬｆ（図１の燃料供給ラインＬｆと同じ）から高質燃料である燃料ガスが投入される。
【００９７】
高温再生器２２内で加熱された吸収溶液から水蒸気が発生し、高温の水蒸気がラインＬｂで低温再生器２３に通され、低温再生器２３内において吸収器２１から送られた吸収溶液と熱交換を行い、水蒸気を発生させる。
【００９８】
ここで、第１実施形態及び第２実施形態において、コージェネレーションシステムのガスエンジン１から投入される排熱は、排熱ラインＬｈを介して、排熱投入型吸収式冷凍機２の低温再生器２３に投入される。
従って、低温再生器２３では、前記高温再生器２２で発生した水蒸気によって吸収溶液が加熱されて水蒸気を再生するのみならず、排熱ラインＬｈを介して投入された排熱によっても吸収溶液が加熱されて、水蒸気を発生するのである。
低温再生器２３で発生した水蒸気は、隣接した凝縮器２４に流入する。
【００９９】
凝縮器２４には、冷却水ラインＬｃｗが通っており、凝縮器２４内の水蒸気を冷却し、凝縮水を得る。凝縮水はラインＬｃを通って蒸発器２５内に流入する。蒸発器２５内には冷温水ラインＬｗ（図１の冷温水ラインＬｗと同じ）が通されている。
蒸発器２５の底部に溜められた凝縮水はポンプＰ２を介装したラインＬｄで蒸発器上部に汲み上げられ、散布手段によって冷温水ラインＬｗに散布（滴下）され、冷温水ラインＬｗを流過する冷水から蒸発熱を奪って気化する。その結果、冷温水ラインＬｗを流過する冷水は冷却されて、冷房負荷で活用される。
冷水から蒸発熱を奪って気化した水蒸気は、隣接する吸収器２１に流入する。
【０１００】
一方、高温再生器２２及び低温再生器２３で蒸発することなく、濃度の高まった吸収溶液（濃溶液）は、吸収溶液ラインＬａ２によって吸収器２１に戻され、水蒸気を吸収して濃度が薄まる。吸収器２１には、前記冷却水ラインＬｃｗが通され、濃溶液が水蒸気を吸収した際に発生する吸収熱を除去している。
【０１０１】
吸収器２１内で濃度が薄まった吸収溶液（希溶液）は、再び高温再生器２２及び低温再生器２３に送り出され、上述のサイクルを繰り返す。
なお、図１４で示す様な吸収式冷凍機２の運転を停止する場合、排熱及び／又は燃料の供給を遮断した後、所定時間の間は循環ポンプＰ１及びＰ２は稼働したままとして（希釈運転をして）、吸収溶液の濃度を均一として、晶析による吸収溶液ラインの閉塞を防止する必要がある。
【０１０２】
図１４中、符号Ｈ１、Ｈ２は、吸収溶液ラインＬａ１、Ｌａ２を流れる吸収溶液間での熱交換を行う熱交換器を示し、符号Ｈ３は排熱ラインＬｈの温排水と吸収溶液ラインＬａ２の吸収溶液との間で熱交換する熱交換器を示す。
【０１０３】
図示の実施形態はあくまでも例示であり、本発明の技術的範囲を限定する趣旨の記述ではない旨を付記する。
【図面の簡単な説明】
【０１０４】
【図１】発明の第１実施形態の空調システムの構成を示したブロック図。
【図２】第１実施形態の空調システムで冷房運転を行う場合の起動時における冷水温度と時間との関係を示した図。
【図３】第１実施形態の空調システムで冷房運転を行う場合の停止時における冷水温度と時間との関係を示した図。
【図４】図２の内容を時系列で説明する制御フローチャート。
【図５】図２と同様、第１実施形態の空調システムで冷房運転を行う場合の起動時における冷水温度と時間との関係を示した図。
【図６】図３の内容を時系列で説明する制御フローチャート。
【図７】第１実施形態における冷房運転を行う場合の停止時における冷水温度と時間との関係を示した図。
【図８】第１実施形態における暖房運転を行う場合の起動時における冷水温度と時間との関係を示した図。
【図９】図８と同様、第１実施形態における暖房運転を行う場合の起動時における冷水温度と時間との関係を示した図。
【図１０】第１実施形態における暖房運転を行う場合の停止時における冷水温度と時間との関係を示した図。
【図１１】図１０と同様、第１実施形態における暖房運転を行う場合の停止時における冷水温度と時間との関係を示した図。
【図１２】発明の第２実施形態の空調システムの構成を示したブロック図。
【図１３】第２実施形態の空調システムの制御の一例を示した制御フローチャート。
【図１４】第１実施形態及び第２実施形態において、排熱投入型を利用する吸収式冷凍機の構成の一例を示すブロック図。
【図１５】従来技術の空調システムで冷房運転を行う場合の起動時における冷水温度と時間との関係を示した図。
【図１６】従来技術の空調システムで冷房運転を行う場合の停止時における冷水温度と時間との関係を示した図。
【図１７】従来技術の空調システムで暖房運転を行う場合の起動時における冷水温度と時間との関係を示した図。
【図１８】従来技術の空調システムで暖房運転を行う場合の停止時における冷水温度と時間との関係を示した図。
【符号の説明】
【０１０５】
１・・・コージェネレーションシステム
２・・・排熱投入型吸収式冷凍機
３・・・室内機
４・・・制御手段／コントロールユニット
５・・・入力手段
６・・・外気温計測装置／外気温センサ
７・・・水温センサ
８・・・空調負荷センサ
９・・・ガス焚き吸収式冷凍機
Ｌｈ・・・排熱ライン
Ｖｈ・・・開閉弁
Ｌｗ・・・冷温水ライン
Ｖｆ・・・開閉弁
【図１】
2006308193.tif 000003
【図２】
2006308193.tif 000004
【図３】
2006308193.tif 000005
【図４】
2006308193.tif 000006
【図５】
2006308193.tif 000007
【図６】
2006308193.tif 000008
【図７】
2006308193.tif 000009
【図８】
2006308193.tif 000010
【図９】
2006308193.tif 000011
【図１０】
2006308193.tif 000012
【図１１】
2006308193.tif 000013
【図１２】
2006308193.tif 000014
【図１３】
2006308193.tif 000015
【図１４】
2006308193.tif 000016
【図１５】
2006308193.tif 000017
【図１６】
2006308193.tif 000018
【図１７】
2006308193.tif 000019
【図１８】
2006308193.tif 000020